(57)【特許請求の範囲】
【請求項１】
互いに異なる指向性を持つ第１のアンテナ及び第２のアンテナと、通話を開始するための通話ボタンと、通話を終了するための終話ボタンと、人体への近づき及び人体からの離れを検知するセンサと、前記第１、第２のアンテナを選択する切り替えスイッチと、を含む無線端末装置であって、前記切り替えスイッチは、前記通話ボタンが押され、前記センサが人体への近づきを検知した場合に、前記第１のアンテナを選択し、前記通話ボタンが押され、前記センサが人体からの離れを検知した場合に、前記第２のアンテナを選択し、前記終話ボタンが押された場合に、前記第２のアンテナを選択する無線端末装置。
【請求項２】
第１のアンテナ及び第２のアンテナに接続され、前記第１のアンテナ及び第２のアンテナの受信信号の電界強度を比較して比較結果を切り替えスイッチに出力する比較器を更に有し、前記切り替えスイッチは、前記終話ボタンが押された場合であって未使用状態の場合には、前記電界強度の強い方のアンテナを選択する請求項１記載の無線端末装置。
【請求項３】
第２のアンテナが実質的に無指向性である請求項１又は２記載の無線端末装置。
【請求項４】
第１のアンテナ及び第２のアンテナに替えて複数のアンテナ素子からなるアレーアンテナを有し、切り替えスイッチの選択に応じて前記アレーアンテナの指向性を切り替える請求項１又は２記載の無線端末装置。
【発明の詳細な説明】
【０００１】
【発明の属する技術分野】
本発明は、アンテナ装置、それを利用した受信装置、送信装置及び無線端末装置に関するものである。
【０００２】
【従来の技術】
近年、携帯電話やＰＨＳといった無線端末装置は電話としてだけではなくデータ通信端末として利用される機会が多くなってきた。また、利用者数の増大により小ゾーン化が進んでいるので、無線端末装置に対して限られた方向からだけ電波が到来する可能性が高い。そのため、なるべく無線端末装置のアンテナの指向性は無指向に近い方がシチュエーションによらず効率よく電波を送受信することができる。
【０００３】
【発明が解決しようとする課題】
しかし、無指向性に近いアンテナを使用した場合、操作者が通話時など無線端末装置を人体に近づけて使用するときは、人体方向へ照射された電波は人体に吸収されるので、人体方向に向けて照射するのは効率が悪い。また、近年は人体頭部に吸収される電波の影響も懸念されており、人体に近づけて使用する場合には、ある程度アンテナの指向性を人体頭部とは逆方向に向ける必要がある。
【０００４】
その課題に関しては、特開平９−２１４３８３号公報は、受信信号が音声かデータであるかを判別して受信の特性を自動的に切り替えることができる受信機を提供しているおり、特開平１１−１３６１５７号公報は、人体に接触した際に変化するインピーダンスの整合を取ることによって通話品質の向上を図る移動無線端末装置を提供しているが、アンテナ自体を切り替えるという構成ではなかった。
【０００５】
また、特開２０００−１５６６０５号公報は、指向性アンテナと無指向性アンテナとを備えたアンテナを提供しているが、全方位から送信される電波に対して無指向性アンテナを用い、特定方向から送信される電波に対して指向性アンテナを用いるという考え方であって、同じ基地局から送信される電波に対して、使用用途に応じてアンテナを切り替えるというものではなかった。
【０００６】
そこで、本発明は、電話あるいはデータ通信など、その利用用途に応じてアンテナの指向性を切り替えることによって、特性の良いアンテナを提供することを目的とする。
【０００７】
【課題を解決するための手段】
本発明は上記目的を達成するため、アンテナ装置は無指向性に近いアンテナと指向性を持つアンテナの２つのアンテナを持つ構成とした。
【０００８】
そして、頭部に近づけて使用する場合には頭部とは異なる方向に照射する指向性を持つアンテナを使用し、手で持ったまま使用するなど頭部から離れて使う場合には全方位に対して照射する無指向性に近いアンテナを使用するというように、使用用途に応じてアンテナの指向性を切り替えるということを特徴としている。
【００３５】
【発明の実施の形態】
以下、本発明の実施の形態について、図１から図１３を用いて説明する。
【００３６】
（実施の形態１）
本実施の形態では、使用用途に応じてアンテナの指向性を切り替えるアンテナ装置について説明する。
【００３７】
図１は本実施形態におけるアンテナ装置の構成を示す図である。図１において、１０１は第１のアンテナ、１０２は第２のアンテナ、１０３は切り替えスイッチ、１０４は切り替え判断手段、１０５はアンテナ切り替え信号である。
【００３８】
第１のアンテナ１０１と第２のアンテナ１０２は異なる指向性を持っており、切り替えスイッチ１０３に接続され、アンテナ切り替え信号１０５によって切り替えることが可能である。切り替え判断手段１０４は使用用途に応じて切り替えスイッチ１０３に第１のアンテナ１０１と第２のアンテナのどちらを選択すればよいかアンテナ切り替え信号１０５を出力することができる。
【００３９】
これにより、使用用途に応じてアンテナの指向性を変えることができる。
【００４０】
（実施の形態２）
本実施の形態では、実施の形態１におけるアンテナ装置を用いた受信装置について説明する。
【００４１】
図２は本実施の形態における受信装置の構成を示す図である。図２において、１０１は第１のアンテナ、１０２は第２のアンテナ、１０３は切り替えスイッチ、１０４は切り替え判断手段、１０５はアンテナ切り替え信号、１０６は受信無線周波数、１０７は受信部、１０８は受信データである。
【００４２】
実施の形態１における切り替えスイッチ１０３に受信部１０７が接続されており、第１のアンテナ１０１あるいは第２のアンテナ１０２で受信された受信無線周波数１０６は切り替えスイッチ１０３を通して受信部１０７に出力され、受信部１０７に入力された受信周波数１０６は受信データ１０８に変換され出力される。
【００４３】
これにより、使用用途に応じてアンテナの指向性が変わる受信装置を構成することができる。
【００４４】
（実施の形態３）
本実施の形態では、実施の形態１におけるアンテナ装置を用いた送信装置について説明する。
【００４５】
図３は本実施の形態における送信装置の構成を示す図である。図３において、１０１は第１のアンテナ、１０２は第２のアンテナ、１０３は切り替えスイッチ、１０４は切り替え判断手段、１０５はアンテナ切り替え信号、１０９は送信無線周波数、１１０は送信部、１１１は送信データである。
【００４６】
実施の形態１における切り替えスイッチ１０３に送信部１１０が接続されており、送信部１１０に入力された送信データ１１１は送信無線周波数１０９に変換され出力され、無線周波数１０９は切り替えスイッチ１０３を通して第１のアンテナ１０１あるいは第２のアンテナ１０２から出力される。
【００４７】
これにより、使用用途に応じてアンテナの指向性が変わる送信装置を構成することができる。
【００４８】
（実施の形態４）
本実施の形態では、実施の形態１におけるアンテナ装置を用いた送受信装置について説明する。
【００４９】
図４は本実施の形態における送受信装置の構成を示す図である。図４において、１０１は第１のアンテナ、１０２は第２のアンテナ、１０３は切り替えスイッチ、１０４は切り替え判断手段、１０５はアンテナ切り替え信号、１０６は受信無線周波数、１０７は受信部、１０８は受信データ、１０９は送信無線周波数、１１０は送信部、１１１は送信データである。
【００５０】
実施の形態１における切り替えスイッチ１０３に受信部１０７および送信部１１０が接続されており、受信の場合は、第１のアンテナ１０１あるいは第２のアンテナ１０２で受信された受信無線周波数１０６は切り替えスイッチ１０３を通して受信部１０７に出力され、受信部１０７に入力された受信周波数１０６は受信データ１０８に変換され出力される。
【００５１】
また、送信の場合は、送信部１１０に入力された送信データ１１１は送信無線周波数１０９に変換され出力され、無線周波数１０９は切り替えスイッチ１０３を通して第１のアンテナ１０１あるいは前記第２のアンテナ１０２から出力される。
【００５２】
これにより、使用用途に応じてアンテナの指向性が変わる送受信装置を構成することができる。
【００５３】
（実施の形態５）
本実施の形態では、実施の形態１におけるアンテナ装置について、待ち受け時など未使用状態ではダイバーシチ受信を行うアンテナ装置について説明する。
【００５４】
図５は本実施の形態におけるアンテナ装置の構成を示す図である。図５において、１０１は第１のアンテナ、１０２は第２のアンテナ、１０３は切り替えスイッチ、１０４は切り替え判断手段、１０５はアンテナ切り替え信号、２０１は第１のアンテナで受信された第１の受信無線周波数、２０２は第２のアンテナで受信された第２の受信無線周波数、２０３は比較器、２０４はアンテナ選択信号である。
【００５５】
第１のアンテナ１０１および第２のアンテナ１０２は比較器２０３に接続されており、第１のアンテナ１０１で受信された第１の受信無線周波数２０１と第２のアンテナ１０２で受信された第２の受信無線周波数２０２は比較器２０３に入力され、比較器２０３は切り替えスイッチ１０３に接続され、第１の無線周波数２０１と第２の無線周波数２０２で電界強度の強いほうを選択しアンテナ選択信号２０４を切り替えスイッチ１０３に出力し、受信電界強度の強いほうのアンテナを選択するようにする。
【００５６】
これにより、待ち受け時など未使用状態ではダイバーシチ受信を行う使用用途に応じてアンテナの指向性が変わるアンテナ装置を構成することができる。
【００５７】
（実施の形態６）
本実施の形態では、指向性の異なる２つのアンテナついて具体的に説明する。
【００５８】
図６は本実施の形態における指向性の異なる２つのアンテナを用いた無線端末装置の例を示す図である。図６において、３０１は無指向性に近いアンテナ、３０２は指向性を持ったアンテナ、３０３は無線端末装置、３０４は前記無指向性に近いアンテナを使用した際の第１のアンテナパターン、３０５は前記指向性を持ったアンテナを使用した際の第２のアンテナパターンである。
【００５９】
無線端末装置３０３を人体頭部に近づけて使用する場合は、指向性を持ったアンテナ３０２を使用することによって、人体頭部とは逆方向に電波を照射し、人体頭部から離して使用する場合は、無指向性に近いアンテナ３０１を使用することによって、全方位に電波を照射するようにすることができる。
【００６０】
これにより、人体頭部とは逆方向に指向性を持ったアンテナを用いることによって人体頭部に電波を照射しないアンテナ装置を構成することができる。また、無指向性に近いアンテナ３０１および指向性を持ったアンテナ３０２のアンテナは種類を問わない。
【００６１】
このアンテナの指向性を使用用途に応じて切り替えるという構成は主に無線端末装置を意識したものであるが、見通しあるいは建物に囲まれているなど周りの環境（使用用途）に応じてアンテナの指向性を変えるということは基地局にも応用できる。例えば、見通しの場所に置かれた基地局は無指向性のアンテナ、建物に囲まれた環境ではその建物の方にアンテナの指向性を向けないといった使い方も可能である。さらに、基地局側からすると、高いアンテナゲインが必要とされるデータ通信のときは移動局側に向けて指向性を持ったアンテナを使用し、比較的低いアンテナゲインでも通信可能な通話時は無指向性のアンテナを使用するということも可能である。
【００６２】
（実施の形態７）
本実施の形態では、指向性を持ったアンテナの設置ついて具体的に説明する。
【００６３】
指向性を持ったアンテナのアンテナパターンは人体頭部と逆方向に指向性を持つ必要がある。そこで、使用者が人体頭部に近づけて無線端末装置を使用する際には無線端末装置の受話器に耳を近づけて使用することから、受話器とは逆方向に指向性を持つようにアンテナを構成することによって、人体頭部方向に電波を照射しないアンテナ装置を構成することができる。
【００６４】
（実施の形態８）
本実施の形態では、実施の形態１における切り替え判断手段として通話ボタンと終話ボタンを用いた場合について具体的に説明する。
【００６５】
図７は本実施の形態における切り替え判断手段を用いた無線端末装置の例を示す図である。図７において、３０１は無指向性に近いアンテナ、３０２は指向性を持ったアンテナ、１０３は切り替えスイッチ、１０５はアンテナ切り替え信号、４０１は通話ボタン、４０２は終話ボタンである。
【００６６】
実施の形態１における切り替え判断手段１０４は操作者が通話しようとしているのかデータ通信をしようとしているのかを判断をするが、携帯電話やＰＨＳといった無線端末装置の場合、通話時の判断基準として、無線端末装置で使用される通話ボタンと終話ボタンで判断する。
【００６７】
切り替えスイッチ１０３に通話ボタン４０１および終話ボタン４０２が接続され、操作者が通話ボタン４０１を押すと切り替えスイッチ１０３に指向性を持ったアンテナ３０２にアンテナを切り替えるようにアンテナ切り替え信号１０５を出力する。そして、操作者が終話ボタン４０２を押すと切り替えスイッチ１０３に無指向に近いアンテナ３０１にアンテナを切り替えるようにアンテナ切り替え信号１０５を出力する。
【００６８】
これにより、操作者が通話ボタンを押すと自動的にアンテナの指向性が切り替わり、通話時は人体頭部に電波が照射しないアンテナ装置を構成することができる。
【００６９】
（実施の形態９）
本実施の形態では、実施の形態１における切り替え判断手段としてセンサを用いた場合について具体的に説明する。
【００７０】
図８は本実施の形態における切り替え判断手段を用いた無線端末装置の例を示す図である。図８において、３０１は無指向性に近いアンテナ、３０２は指向性を持ったアンテナ、１０３は切り替えスイッチ、１０５はアンテナ切り替え信号、４０３はセンサである。
【００７１】
実施の形態１における切り替えスイッチ１０３にセンサ４０３が接続され、操作者が通話しようとして人体に無線端末装置を近づけるとセンサ４０３が反応し、切り替えスイッチ１０３に指向性を持ったアンテナ３０２にアンテナを切り替えるようにアンテナ切り替え信号１０５を出力する。また、人体頭部から無線端末装置を離すとセンサ４０３が反応し、切り替えスイッチ１０３に無指向に近いアンテナ３０１にアンテナを切り替えるようにアンテナ切り替え信号１０５を出力する。
【００７２】
これにより、操作者が通話しようとして人体頭部に無線端末装置を近づけたときだけ自動的にアンテナの指向性が切り替わり、人体頭部に無線端末装置を近づけると人体頭部に電波が照射しないアンテナ装置を構成することができる。
【００７３】
（実施の形態１０）
本実施の形態では、実施の形態１における切り替え判断手段として受話器と送話器を用いた場合について具体的に説明する。
【００７４】
図９は本実施の形態における切り替え判断手段を用いた無線端末装置の例を示す図である。図９において、３０１は無指向性に近いアンテナ、３０２は指向性を持ったアンテナ、１０３は切り替えスイッチ、１０５はアンテナ切り替え信号、４０４は受話器、４０５は送話器である。
【００７５】
実施の形態１における切り替え判断手段１０４は操作者が通話しようとしているのかデータ通信をしようとしているのかを判断をするが、携帯電話やＰＨＳといった無線端末装置の場合、通話時の判断基準として、無線端末装置に使用される受話器と送話器で判断する。操作者が無線端末装置を人体頭部に近づけて使用する場合、操作者は送話器を通じて音声を発するか、あるいは受話器を通して音声を聞くので、そのことを利用する。
【００７６】
実施の形態１における切り替えスイッチ１０３に受話器４０４と送話器４０５が接続され、通話状態になったあと、受話器４０４あるいは送話器４０５に音声が流れたと判断されると、切り替えスイッチ１０３に指向性を持ったアンテナ３０２にアンテナを切り替えるようにアンテナ切り替え信号１０５を出力する。また、通話状態が終了し、受話器４０４あるいは送話器４０５に音声が流れなくなったと判断されると、切り替えスイッチ１０３に無指向に近いアンテナ３０１にアンテナを切り替えるようにアンテナ切り替え信号１０５を出力する。
【００７７】
これにより、通話状態になると自動的にアンテナの指向性が切り替わり、通話時に人体頭部に電波が照射しないアンテナ装置を構成することができる。
【００７８】
（実施の形態１１）
本実施の形態では、実施の形態１における切り替え判断手段としてアンテナ端のインピーダンスをモニタするモニタ部を用いた場合について具体的に説明する。
【００７９】
図１０は本実施の形態における切り替え判断手段を用いた無線端末装置の例を示す図である。図１０において、３０１は無指向性に近いアンテナ、３０２は指向性を持ったアンテナ、１０３は切り替えスイッチ、１０５はアンテナ切り替え信号、４０６はモニタ部である。
【００８０】
実施の形態１における切り替え判断手段１０４は操作者が通話しようとしているのかデータ通信をしようとしているのかを判断をするが、操作者が通話するときに人体頭部に無線端末装置を近づけるとアンテナ端のインピーダンスが急激に変化することを利用し、通話時の判断基準として、アンテナ端のインピーダンスをモニタすることによって判断する。
【００８１】
実施の形態１における切り替えスイッチ１０３はモニタ部４０６に接続され、モニタ部４０６は無指向性に近いアンテナ３０１および指向性を持ったアンテナ３０２に接続され、モニタ部４０６は無指向性に近いアンテナ３０１および指向性を持ったアンテナ３０２のアンテナ端のインピーダンスをモニタしており、無線端末装置が人体頭部に近づきアンテナ端のインピーダンスが急激に変化したとき、切り替えスイッチ１０３に指向性を持ったアンテナ３０２にアンテナを切り替えるようにアンテナ切り替え信号１０５を出力する。また、無線端末装置が人体頭部から離れアンテナ端のインピーダンスが落ち着くと、切り替えスイッチ１０３に無指向に近いアンテナ３０１にアンテナを切り替えるようにアンテナ切り替え信号１０５を出力する。
【００８２】
これにより、操作者が通話しようとして人体頭部に無線端末装置を近づけたときだけ自動的にアンテナの指向性が切り替わり、人体頭部に無線端末装置を近づけると人体頭部に電波が照射しないアンテナ装置を構成することができる。
【００８３】
（実施の形態１２）
本実施の形態では、無線端末装置を人体から離して通話する特別な場合について説明する。
【００８４】
実施の形態８、９、１０および１１における切り替え判断手段について、ハンズフリーモードあるいはマイク機能付きイヤホンを利用して通話するなど無線端末装置を人体から離して通話するような場合は、指向性を持つアンテナに切り替えないことにより、無指向性を保ち、到来する電波のパスの方向によってアンテナ特性が劣化しないようにすることができる。
【００８５】
（実施の形態１３）
本実施の形態では、実施の形態８、９、１０および１１における切り替え判断手段を組み合わせた場合ついて具体的に説明する。
【００８６】
操作者が通話する場合、実施の形態８における通話ボタン４０１および終話ボタン４０２、実施の形態９におけるセンサ４０３、実施の形態１０における受話器４０４および送話器４０５、実施の形態１１におけるモニタ部４０６を組み合わせて利用することにより、精度のいい制御が可能となる。
【００８７】
例えば、通話ボタン４０１が押されたという情報を元にセンサ４０３、受話器４０４、送話器４０５およびモニタ部４０６を利用してアンテナを切り替えると無線端末装置が人体頭部に近づいたという情報を得やすい。
【００８８】
また、特別にデータ通信ボタンあるいは通話専用ボタンなどを設けることにより、前記切り替え判断手段の制御が簡単になる。
【００８９】
（実施の形態１４）
本実施の形態では、実施の形態１における第１のアンテナおよび第２のアンテナの替わりにアレーアンテナを用いた受信装置について説明する。
【００９０】
図１１は本実施の形態における受信装置の構成を示す図である。図１１において、５０１はアレーアンテナ、５０２はアンテナ素子、５０３は受信無線周波数、５０４は受信周波数変換部、５０５は中間周波数信号またはベースバンド信号、５０６は受信ビーム形成部、５０７は受信データ、５０８はアレー励振重み付け算出部、５０９はアレー励振重み付け、１０４は切り替え判断手段、１０５はアンテナ切り替え信号である。
【００９１】
実施の形態１における切り替え判断手段１０４はアレー励振重み付け算出部５０８に接続され、使用用途に応じてアレー励振重み付け算出部５０８にアンテナ切り替え信号１０５を出力することができる。アレーアンテナ５０１は複数個のアンテナ素子５０２で構成されており、アンテナ素子５０２で受信された受信無線周波数５０３は受信周波数変換部５０４に入力され、中間周波数信号またはベースバンド信号５０５に変換され前記受信ビーム形成部５０６に出力される。
【００９２】
アレー励振重み付け算出部５０８はアンテナ切り替え信号１０５によって所望のアンテナパターン（無指向性か指向性）を形成するアレー励振重み付け５０９を算出し、受信ビーム形成部５０６に前記アレー励振重み付け５０９を出力する。受信ビーム形成部５０６に入力された中間周波数信号またはベースバンド信号５０５に受信ビーム形成部５０６に入力されたアレー励振重み付け５０９を掛け合わせ合成することによってビーム形成がなされ、受信データ５０７に変換され出力される。
【００９３】
これにより、使用用途に応じてアンテナの指向性が変わる受信装置を構成することができる。
【００９４】
（実施の形態１５）
本実施の形態では、実施の形態１における第１のアンテナおよび第２のアンテナの替わりにアレーアンテナを用いた送信装置について説明する。
【００９５】
図１２は本実施の形態における送信装置の構成を示す図である。図１２において、５０１はアレーアンテナ、５０２はアンテナ素子、５１０は送信無線周波数、５１１は送信周波数変換部、５０５は中間周波数信号またはベースバンド信号、５１２は送信ビーム形成部、５１３は送信データ、５０８はアレー励振重み付け算出部、５０９はアレー励振重み付け、１０４は切り替え判断手段、１０５はアンテナ切り替え信号である。
【００９６】
実施の形態１における切り替え判断手段１０４はアレー励振重み付け算出部５０８に接続され、使用用途に応じてアレー励振重み付け算出部５０８にアンテナ切り替え信号１０５を出力することができる。アレーアンテナ５０１は複数個のアンテナ素子５０２で構成されており、アレー励振重み付け算出部５０８はアンテナ切り替え信号１０５によって所望のアンテナパターン（無指向性か指向性）を形成するアレー励振重み付け５０９を算出し、送信ビーム形成部５１２にアレー励振重み付け５０９を出力する。
【００９７】
送信ビーム形成部５１２に入力された送信データ５１３は複数個のアンテナ素子５０２の数に分配され、送信ビーム形成部５１２に入力されたアレー励振重み付け５０９を掛け合わせることによって、中間周波数信号またはベースバンド信号５０５に変換され、送信周波数変換部５１１に出力される。中間周波数信号またはベースバンド信号５０５は、送信周波数変換部５１１に入力され、送信無線周波数５１０に変換され、前記アレーアンテナ５０１に出力される。
【００９８】
これにより、使用用途に応じてアンテナの指向性が変わる送信装置を構成することができる。
【００９９】
（実施の形態１６）
本実施の形態では、実施の形態１における第１のアンテナおよび第２のアンテナの替わりにアレーアンテナを用いた送受信装置について説明する。
【０１００】
図１３は本実施の形態における送受信装置の構成を示す図である。図１３において、５０１はアレーアンテナ、５０２はアンテナ素子、５０４は受信周波数変換部、５０５は中間周波数信号またはベースバンド信号、５０６は受信ビーム形成部、５０７は受信データ、５０８はアレー励振重み付け算出部、５０９はアレー励振重み付け、５１１は送信周波数変換部、５１２は送信ビーム形成部、５１３は送信データ、１０４は切り替え判断手段、１０５はアンテナ切り替え信号である。
【０１０１】
実施の形態１における切り替え判断手段１０４はアレー励振重み付け算出部５０８に接続され、使用用途に応じてアレー励振重み付け算出部５０８にアンテナ切り替え信号１０５を出力することができる。アレーアンテナ５０１は複数個のアンテナ素子５０２で構成されており、アレー励振重み付け算出部５０８はアンテナ切り替え信号１０５によって所望のアンテナパターン（無指向性か指向性）を形成するアレー励振重み付け５０９を算出し、送信ビーム形成部５１２にアレー励振重み付け５０９を出力する。受信に関しては実施の形態１４における受信装置、送信に関しては実施の形態１５における送信装置と同じである。
【０１０２】
これにより、使用用途に応じてアンテナの指向性が変わる送受信装置を構成することができる。
【０１０３】
【発明の効果】
以上のように本発明によれば、使用用途に応じてアンテナの指向性を切り替えることにより、通話時に人体頭部への電波の照射を軽減するとともに、データ通信など人体頭部から離して無線端末装置を使用する場合には、限られた方向から電波が到来してくるような環境下でそのパスの方向によらず効率のいい送受信が可能であるという効果が得られる。
【図面の簡単な説明】
【図１】本発明の一実施の形態によるアンテナ装置の構成を示す図
【図２】本発明の一実施の形態による受信装置の構成を示す図
【図３】本発明の一実施の形態による送信装置の構成を示す図
【図４】本発明の一実施の形態による送受信装置の構成を示す図
【図５】本発明の他の実施の形態によるアンテナ装置の構成を示す図
【図６】本発明の一実施の形態による２つのアンテナの構成を示す図
【図７】本発明の一実施の形態による切り替え判断手段の構成を示す図
【図８】本発明の他の実施の形態による切り替え判断手段の構成を示す図
【図９】本発明のさらに他の実施の形態による切り替え判断手段の構成を示す図
【図１０】本発明のさらに他の実施の形態による切り替え判断手段の構成を示す図
【図１１】本発明の他の実施の形態による受信装置の構成を示す図
【図１２】本発明の他の実施の形態による送信装置の構成を示す図
【図１３】本発明の他の実施の形態による送受信装置の構成を示す図
【符号の説明】
１０１  第１のアンテナ
１０２  第２のアンテナ
１０３  切り替えスイッチ
１０４  切り替え判断手段
１０５  アンテナ切り替え信号
１０６  受信無線周波数
１０７  受信部
１０８  受信データ
１０９  送信無線周波数
１１０  送信部
１１１  送信データ
２０１  第１の受信無線周波数
２０２  第２の受信無線周波数
２０３  比較器
２０４  アンテナ選択信号
３０１  無指向性に近いアンテナ
３０２  指向性を持ったアンテナ
３０３  無線端末装置
３０４  第１のアンテナパターン
３０５  第２のアンテナパターン
４０１  通話ボタン
４０２  終話ボタン
４０３  センサ
４０４  受話器
４０５  送話器
４０６  モニタ部
５０１  アレーアンテナ
５０２  アンテナ素子
５０３  受信無線周波数
５０４  受信周波数変換部
５０５  中間周波数信号またはベースバンド信号
５０６  受信ビーム形成部
５０７  受信データ
５０８  アレー励振重み付け算出部
５０９  アレー励振重み付け
５１０  送信無線周波数
５１１  送信周波数変換部
５１２  送信ビーム形成部
５１３  送信データ
【図１】
0003815224.tif 000002
【図２】
0003815224.tif 000003
【図３】
0003815224.tif 000004
【図４】
0003815224.tif 000005
【図５】
0003815224.tif 000006
【図６】
0003815224.tif 000007
【図７】
0003815224.tif 000008
【図８】
0003815224.tif 000009
【図９】
0003815224.tif 000010
【図１０】
0003815224.tif 000011
【図１１】
0003815224.tif 000012
【図１２】
0003815224.tif 000013
【図１３】
0003815224.tif 000014